(57)【特許請求の範囲】
【請求項１】
第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、
第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクと、
第３光ディスク基板のビーム入射面から前記第１距離と前記第２距離との間の値の第３距離隔てた位置に前記第１記録フォーマットに準拠した第３信号面を有し、この第３信号面に前記第１レーザービームを照射して情報信号を記録又は再生する第３光ディスクとが選択的に装着可能とされ、
装着された光ディスクが前記第１〜第３光ディスクのいずれの種類であるかを判別する光ディスクの種類判別方法であって、
前記第１，第２レーザービームを前記光ディスクの信号面に選択的に照射してフォーカスサーチしながら第１，第２フォーカスエラー信号をそれぞれ検出するフォーカスエラー信号検出ステップと、
前記第１，第２フォーカスエラー信号に基づいて第１，第２フォーカスエラー信号振幅値をそれぞれ検出するフォーカスエラー信号振幅値検出ステップと、
前記第１，第２フォーカスエラー信号の各プラス側レベルＦＥＰと各マイナス側レベルＦＥＭとを求めて、１００×（ＦＥＰ−ＦＥＭ）／（ＦＥＰ＋ＦＥＭ）の演算により第１，第２フォーカスバランス信号値をそれぞれ検出するフォーカスバランス信号値検出ステップと、
前記第１，第２フォーカスエラー信号振幅値のうち少なくとも一方を参照して前記光ディスクが前記第１光ディスクであるか否かを判別した後に、該否と判別された場合は、前記第１フォーカスバランス信号値と前記第２フォーカスバランス信号値とを加算した合計値が所定の閾値以上であれば前記光ディスクが前記第３光ディスクであると判別する一方、前記所定の閾値よりも小さければ前記第２光ディスクであると判別する光ディスク種類判別ステップと、
を含むことを特徴とする光ディスクの種類判別方法。
【請求項２】
前記光ディスク種類判別ステップにより前記第１光ディスクをＣＤフォーマットに準拠したＣＤ信号面を有するＣＤであると判別し、且つ、前記第２光ディスクをＤＶＤフォーマットに準拠したＤＶＤ信号面を有するＤＶＤであると判別し、前記第３光ディスクを前記ＣＤのＣＤ信号面と前記ＤＶＤのＤＶＤ信号面との間の位置にＣＤフォーマットに準拠したＣＤ信号面を有する光ディスクであると判別することを特徴とする請求項１記載の光ディスクの種類判別方法。
【請求項３】
第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、
第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクとが選択的に装着可能とされ、
装着された光ディスクが前記第１，第２光ディスクのいずれの種類であるかを判別する光ディスクの種類判別方法であって、
前記第１，第２レーザービームを前記光ディスクの信号面に選択的に照射してフォーカスサーチしながら第１，第２フォーカスエラー信号をそれぞれ検出するフォーカスエラー信号検出ステップと、
前記第１，第２フォーカスエラー信号の各プラス側レベルＦＥＰと各マイナス側レベルＦＥＭとを求めて、１００×（ＦＥＰ−ＦＥＭ）／（ＦＥＰ＋ＦＥＭ）の演算により第１，第２フォーカスバランス信号値をそれぞれ検出するフォーカスバランス信号値検出ステップと、
前記第１フォーカスバランス信号値と前記第２フォーカスバランス信号値とを加算した合計値が所定の閾値以上であれば前記光ディスクが前記第１光ディスクであると判別する一方、前記所定の閾値よりも小さければ前記第２光ディスクであると判別する光ディスク種類判別ステップと、
を含むことを特徴とする光ディスクの種類判別方法。
【請求項４】
第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、
第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクと、
第３光ディスク基板のビーム入射面から前記第１距離と前記第２距離との間の値の第３距離隔てた位置に前記第１記録フォーマットに準拠した第３信号面を有し、この第３信号面に前記第１レーザービームを照射して情報信号を記録又は再生する第３光ディスクとが選択的に装着可能とされ、
装着された光ディスクが前記第１〜第３光ディスクのいずれの種類であるかを判別する光ディスク装置であって、
前記第１，第２レーザービームを前記光ディスクの信号面に選択的に照射してフォーカスサーチしながら第１，第２フォーカスエラー信号をそれぞれ検出するフォーカスエラー信号検出手段と、
前記第１，第２フォーカスエラー信号に基づいて第１，第２フォーカスエラー信号振幅値をそれぞれ検出するフォーカスエラー信号振幅値検出手段と、
前記第１，第２フォーカスエラー信号の各プラス側レベルＦＥＰと各マイナス側レベルＦＥＭとを求めて、１００×（ＦＥＰ−ＦＥＭ）／（ＦＥＰ＋ＦＥＭ）の演算により第１，第２フォーカスバランス信号値をそれぞれ検出するフォーカスバランス信号値検出手段と、
前記第１，第２フォーカスエラー信号振幅値のうち少なくとも一方を参照して前記光ディスクが前記第１光ディスクであるか否かを判別した後に、該否と判別された場合は、前記第１フォーカスバランス信号値と前記第２フォーカスバランス信号値とを加算した合計値が所定の閾値以上であれば前記光ディスクが前記第３光ディスクであると判別する一方、前記所定の閾値よりも小さければ前記第２光ディスクであると判別する光ディスク種類判別手段と、
を備えたことを特徴する光ディスク装置。
【請求項５】
前記光ディスク種類判別手段により前記第１光ディスクをＣＤフォーマットに準拠したＣＤ信号面を有するＣＤであると判別し、且つ、前記第２光ディスクをＤＶＤフォーマットに準拠したＤＶＤ信号面を有するＤＶＤであると判別し、前記第３光ディスクを前記ＣＤのＣＤ信号面と前記ＤＶＤのＤＶＤ信号面との間の位置にＣＤフォーマットに準拠したＣＤ信号面を有する光ディスクであると判別することを特徴とする請求項４記載の光ディスク装置。
【請求項６】
第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、
第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクとが選択的に装着可能とされ、
装着された光ディスクが前記第１，第２光ディスクのいずれの種類であるかを判別する光ディスク装置であって、
前記第１，第２レーザービームを前記光ディスクの信号面に選択的に照射してフォーカスサーチしながら第１，第２フォーカスエラー信号をそれぞれ検出するフォーカスエラー信号検出手段と、
前記第１，第２フォーカスエラー信号の各プラス側レベルＦＥＰと各マイナス側レベルＦＥＭとを求めて、１００×（ＦＥＰ−ＦＥＭ）／（ＦＥＰ＋ＦＥＭ）の演算により第１，第２フォーカスバランス信号値をそれぞれ検出するフォーカスバランス信号値検出手段と、
前記第１フォーカスバランス信号値と前記第２フォーカスバランス信号値とを加算した合計値が所定の閾値以上であれば前記光ディスクが前記第１光ディスクであると判別する一方、前記所定の閾値よりも小さければ前記第２光ディスクであると判別する光ディスク種類判別手段と、
を備えたことを特徴する光ディスク装置。
【発明の詳細な説明】
【技術分野】
【０００１】
本発明は、一方の面にＤＶＤ規格に準拠したデータが記録されるＤＶＤ信号面を有し、もう一方の面にＣＤ規格と同等な信号規格に準拠したデータが記録されるＣＤ信号面を有する両面型のデュアルディスクのＣＤ信号面を確実に判別でき、且つ、複数種の光ディスクの種類をも確実に判別できる光ディスクの種類判別方法及び光ディスク装置に関するものである。
【背景技術】
【０００２】
一般的に、円盤状の光ディスクは、音楽データとか映像データやコンピュータデータなどの情報信号を光ディスク基板の信号面上に螺旋状（又は同心円状）に形成したトラックに高密度に記録し、且つ、記録済みのトラックを再生する際に所望のトラックを高速にアクセスできることから多用されている。
【０００３】
そして、この種の光ディスクは、凹凸状のピット列によるトラック上にアルミなどの反射膜を膜付けして信号面を形成した再生専用タイプと、凹状のグルーブと凸状のランドとによるトラック上に記録膜，反射膜を順に膜付けして信号面を形成した記録再生タイプとに大別できる。
【０００４】
また、光ディスクは、光ディスク装置内に設けたターンテーブル上に回転自在に装着され、且つ、光ピックアップ内の対物レンズから出射されたレーザービームを光ディスク基板のビーム入射面から入射させて、このレーザービームをビーム入射面から所定の距離隔た位置にある信号面上にスポット状に照射することで記録又は再生しているが、信号面に記録される情報信号の記録フォーマットにより下記するように複数種の光ディスクがある。
【０００５】
図１は複数種の光ディスクの種類を説明するために模式的に示した図であり、（ａ）はＣＤを示し、（ｂ）は信号面が１層タイプのＤＶＤ−ＳＬを示し、（ｃ）は信号面が２層タイプのＤＶＤ−ＤＬを示し、（ｄ）は両面型のＤｕａｌ  Ｄｉｓｃを示した図である。
【０００６】
まず、図１（ａ）に示した如く、ＣＤ(Compact Disc)１０は、光ディスク基板１１が直径略１２０ｍｍ，中心孔の孔径１５ｍｍ，基板厚み略１．２ｍｍで円盤状に形成されており、この光ディスク基板１１のビーム入射面１１ａから略１．２ｍｍ隔てた位置にＣＤフォーマットに準拠して音楽データなどを記録したＣＤ信号面１２がトラックピッチを広くして形成されており、更に、ＣＤ信号面１２上に保護膜１３が膜付けされている。そして、開口数（ＮＡ）が略０．４５程度の対物レンズＯＢ１で絞った波長７８０ｎｍ近辺の第１レーザービームＬ１を光ディスク基板１１のビーム入射面１１ａ側から入射させてＣＤ信号面１２に照射している。
【０００７】
次に、図１（ｂ）に示した如く、信号面が１層タイプのＤＶＤ−ＳＬ(Digital Versatile Disc - Single Layer) ２０は、基板厚みが略０．６ｍｍの光ディスク基板２１と、基板厚みが略０．６ｍｍの補強用基板２４とを接着剤層２３を介して貼り合わせて合計厚みが略１．２ｍｍの円盤状に形成されており、下側の光ディスク基板２１のビーム入射面２１ａから略０．６ｍｍ隔てた位置にＤＶＤフォーマットに準拠して映像データなどを記録したＤＶＤ信号面２２が上記したＣＤ１０のＣＤ信号面１２よりもトラックピッチを狭くしてこのＣＤ信号面１２よりも高密度に形成されている。そして、開口数（ＮＡ）が略０．６程度の対物レンズＯＢ２で絞った波長６５０ｎｍ近辺の第２レーザービームＬ２を光ディスク基板２１のビーム入射面２１ａ側から入射させてＤＶＤ信号面２２に照射している。
【０００８】
次に、図１（ｃ）に示した如く、信号面が２層タイプのＤＶＤ−ＤＬ(Digital Versatile Disc - Dual Layer) ３０は、それぞれ基板厚みが略０．６ｍｍの第１，第２光ディスク基板３１，３５を接着剤層３３を介して貼り合わせて合計厚みが略１．２ｍｍの円盤状に形成されており、下側の第１光ディスク基板３１のビーム入射面３１ａから略０．６ｍｍ隔てた位置にＤＶＤフォーマットに準拠して映像データなどを記録した第１ＤＶＤ信号３２が半透過反射膜を膜付けして形成され、且つ、第１ＤＶＤ信号３２に接近して上側の第２光ディスク基板３５上にＤＶＤフォーマットに準拠して映像データなどを記録した第２ＤＶＤ信号面３４が接近して形成されている。そして、開口数（ＮＡ）が略０．６の対物レンズＯＢ２で絞った波長６５０ｎｍ近辺の第２レーザービームＬ２を第１光ディスク基板３１のビーム入射面３１ａ側から入射させて第１ＤＶＤ信号３２又は第２ＤＶＤ信号面３４に照射している。
【０００９】
次に、図１（ｄ）に示した如く、両面から記録又は再生する両面型のＤｕａｌ  Ｄｉｓｃ４０は最近になって開発されたものであり、このＤｕａｌ  Ｄｉｓｃ４０は、基板厚みが略０．９ｍｍの第１光ディスク基板４１と、基板厚みが略０．６ｍｍの第２光ディスク基板４５とを各信号面４２，４４同士が接着剤層４３を介して背中合わせになるように貼り合わせて合計厚みが略１．５ｍｍの円盤状に形成されており、下側の第１光ディスク基板４１側で一方のビーム入射面４１ａから略０．９ｍｍ隔てた位置にＣＤ１０のＣＤ信号面１２と同等であるＣＤフォーマットに準拠して音楽データなどを記録したＣＤ信号面４２がトラックピッチを広くして形成され、且つ、上側の第２光ディスク基板４５側で他方のビーム入射面４５ａから略０．６ｍｍ隔てた位置にＤＶＤフォーマットに準拠して映像データなどを記録したＤＶＤ信号面４４がＣＤ信号面４２よりもトラックピッチを狭くして形成されている。そして、開口数（ＮＡ）が略０．４５程度の対物レンズＯＢ１で絞った波長７８０ｎｍ近辺の第１レーザービームＬ１を第１光ディスク基板４１のビーム入射面４１ａ側から入射させてＣＤ信号面４２に照射している一方、Ｄｕａｌ  Ｄｉｓｃ４０を第２光ディスク基板４５側に反転させた後、開口数（ＮＡ）が略０．６の対物レンズＯＢ２で絞った波長６５０ｎｍ近辺の第２レーザービームＬ２を第２光ディスク基板４５のビーム入射面４５ａ側からＤＶＤ信号面４４に照射している。
【００１０】
ここで、同一の光ディスク装置内で複数種の光ディスクを選択的に記録又は再生する場合に、複数種の光ディスクを光ディスク装置内で予め判別する必要があり、上記したＣＤ１０と、信号面が１層タイプのＤＶＤ−ＳＬ２０と、信号面が２層タイプのＤＶＤ−ＳＬ３０とを判別するディスク判別方法がある（例えば、特許文献１）。
【００１１】
【特許文献１】特開平１１−０６６７１２号公報
【発明の開示】
【発明が解決しようとする課題】
【００１２】
ところで、上記した特許文献１（特開平１１−０６６７１２号公報）に開示されたディスク判別方法によれば、ここでの図示を省略するものの、光ピックアップをＣＤディスク再生状態にしてフォーカスサーチ動作を行い、得られるピックアップ出力の最大値と最小値の差を第１の波形レベルとし、光ピックアップをＤＶＤディスク再生状態にしてフォーカスサーチ動作を行い、得られるピックアップ出力の最大値と最小値の差を第２の波形レベルとし、第１，第２の波形レベルの比を所定値と比較して、光ディスクの種類を判別することで、記録フォーマットが互いに異なる複数種の光ディスクの種類を光ピックアップの出力により判別する際に、ＤＶＤディスクとＣＤディスクのように、反射率がほぼ同じである光記録媒体であっても光ディスクの種類を正確に判別し、且つ、上記したＤＶＤ−ＳＬ２０とＤＶＤ−ＤＬ３０のように単層／複数層のディスク判別も確実に行うことができる旨が開示されている。
【００１３】
しかしながら、上記した両面から記録又は再生する両面型のＤｕａｌ  Ｄｉｓｃ４０において、このＤｕａｌ  Ｄｉｓｃ４０のＣＤ信号面４２は、前述したように、信号規格はＣＤ規格と同等であるものの、光ディスク基板４１のビーム入射面４１ａからＣＤ信号面４２までの距離がＣＤ規格よりも約０．３ｍｍ短くて０．９ｍｍ前後（０．８７ｍｍ、０．８９ｍｍ、０．９３ｍｍ等）であり、即ち、Ｄｕａｌ  Ｄｉｓｃ４０のＣＤ信号面４２の位置は、光ディスク基板１１のビーム入射面１１ａから略１．２ｍｍ隔てた位置にあるＣＤ１０のＣＤ信号面１２と、光ディスク基板２１のビーム入射面２１ａから略０．６ｍｍ隔てた位置にあるＤＶＤ−ＳＬ２０のＤＶＤ信号面２２又は第１光ディスク基板３１のビーム入射面３１ａから略０．６ｍｍ隔てた位置にあるＤＶＤ−ＤＬ３０の第１，第２ＤＶＤ信号面３２，３４の略中間付近に位置しているので、特許文献１に開示されたディスク判別方法の技術的思想を適用しても、Ｄｕａｌ  Ｄｉｓｃ４０のＣＤ信号面４２を識別できなかったり、誤認識してしまうという問題が発生してしまう。
【００１４】
また、Ｄｕａｌ  Ｄｉｓｃ４０のＣＤ信号面４２は、ＣＤ１０のＣＤ信号面１２に対してビーム入射面からの位置が異なるため、ＣＤ規格の設定では正常に再生できなかったり、焦点位置の調整に長時間を要するという問題点がある。
【００１５】
そこで、新たな装置や複雑な処理を行わずに、両面型のＤｕａｌ  ＤｉｓｃのＣＤ信号面を確実に判別でき、且つ、複数種の光ディスクの種類をも確実に判別できる光ディスクの種類判別方法及び光ディスク装置が望まれている。
【課題を解決するための手段】
【００１６】
本発明は上記課題に鑑みてなされたものであり、（１）の発明は、第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、
第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクと、
第３光ディスク基板のビーム入射面から前記第１距離と前記第２距離との間の値の第３距離隔てた位置に前記第１記録フォーマットに準拠した第３信号面を有し、この第３信号面に前記第１レーザービームを照射して情報信号を記録又は再生する第３光ディスクとが選択的に装着可能とされ、
装着された光ディスクが前記第１〜第３光ディスクのいずれの種類であるかを判別する光ディスクの種類判別方法であって、
前記第１，第２レーザービームを前記光ディスクの信号面に選択的に照射してフォーカスサーチしながら第１，第２フォーカスエラー信号をそれぞれ検出するフォーカスエラー信号検出ステップと、
前記第１，第２フォーカスエラー信号に基づいて第１，第２フォーカスエラー信号振幅値をそれぞれ検出するフォーカスエラー信号振幅値検出ステップと、
前記第１，第２フォーカスエラー信号の各プラス側レベルＦＥＰと各マイナス側レベルＦＥＭとを求めて、１００×（ＦＥＰ−ＦＥＭ）／（ＦＥＰ＋ＦＥＭ）の演算により第１，第２フォーカスバランス信号値をそれぞれ検出するフォーカスバランス信号値検出ステップと、
前記第１，第２フォーカスエラー信号振幅値のうち少なくとも一方を参照して前記光ディスクが前記第１光ディスクであるか否かを判別した後に、該否と判別された場合は、前記第１フォーカスバランス信号値と前記第２フォーカスバランス信号値とを加算した合計値が所定の閾値以上であれば前記光ディスクが前記第３光ディスクであると判別する一方、前記所定の閾値よりも小さければ前記第２光ディスクであると判別する光ディスク種類判別ステップと、
を含むことを特徴とする光ディスクの種類判別方法である。
【００１７】
また、（２）の発明は、前記光ディスク種類判別ステップにより前記第１光ディスクをＣＤフォーマットに準拠したＣＤ信号面を有するＣＤであると判別し、且つ、前記第２光ディスクをＤＶＤフォーマットに準拠したＤＶＤ信号面を有するＤＶＤであると判別し、前記第３光ディスクを前記ＣＤのＣＤ信号面と前記ＤＶＤのＤＶＤ信号面との間の位置にＣＤフォーマットに準拠したＣＤ信号面を有する光ディスクであると判別することを特徴とする（１）の光ディスクの種類判別方法である。
【００１８】
また、（３）の発明は、第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、
第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクとが選択的に装着可能とされ、
装着された光ディスクが前記第１，第２光ディスクのいずれの種類であるかを判別する光ディスクの種類判別方法であって、
前記第１，第２レーザービームを前記光ディスクの信号面に選択的に照射してフォーカスサーチしながら第１，第２フォーカスエラー信号をそれぞれ検出するフォーカスエラー信号検出ステップと、
前記第１，第２フォーカスエラー信号の各プラス側レベルＦＥＰと各マイナス側レベルＦＥＭとを求めて、１００×（ＦＥＰ−ＦＥＭ）／（ＦＥＰ＋ＦＥＭ）の演算により第１，第２フォーカスバランス信号値をそれぞれ検出するフォーカスバランス信号値検出ステップと、
前記第１フォーカスバランス信号値と前記第２フォーカスバランス信号値とを加算した合計値が所定の閾値以上であれば前記光ディスクが前記第１光ディスクであると判別する一方、前記所定の閾値よりも小さければ前記第２光ディスクであると判別する光ディスク種類判別ステップと、
を含むことを特徴とする光ディスクの種類判別方法である。
【００１９】
また、（４）の発明は、第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、
第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクと、
第３光ディスク基板のビーム入射面から前記第１距離と前記第２距離との間の値の第３距離隔てた位置に前記第１記録フォーマットに準拠した第３信号面を有し、この第３信号面に前記第１レーザービームを照射して情報信号を記録又は再生する第３光ディスクとが選択的に装着可能とされ、
装着された光ディスクが前記第１〜第３光ディスクのいずれの種類であるかを判別する光ディスク装置であって、
前記第１，第２レーザービームを前記光ディスクの信号面に選択的に照射してフォーカスサーチしながら第１，第２フォーカスエラー信号をそれぞれ検出するフォーカスエラー信号検出手段と、
前記第１，第２フォーカスエラー信号に基づいて第１，第２フォーカスエラー信号振幅値をそれぞれ検出するフォーカスエラー信号振幅値検出手段と、
前記第１，第２フォーカスエラー信号の各プラス側レベルＦＥＰと各マイナス側レベルＦＥＭとを求めて、１００×（ＦＥＰ−ＦＥＭ）／（ＦＥＰ＋ＦＥＭ）の演算により第１，第２フォーカスバランス信号値をそれぞれ検出するフォーカスバランス信号値検出手段と、
前記第１，第２フォーカスエラー信号振幅値のうち少なくとも一方を参照して前記光ディスクが前記第１光ディスクであるか否かを判別した後に、該否と判別された場合は、前記第１フォーカスバランス信号値と前記第２フォーカスバランス信号値とを加算した合計値が所定の閾値以上であれば前記光ディスクが前記第３光ディスクであると判別する一方、前記所定の閾値よりも小さければ前記第２光ディスクであると判別する光ディスク種類判別手段と、
を備えたことを特徴する光ディスク装置である。
【００２０】
また、（５）の発明は、前記光ディスク種類判別手段により前記第１光ディスクをＣＤフォーマットに準拠したＣＤ信号面を有するＣＤであると判別し、且つ、前記第２光ディスクをＤＶＤフォーマットに準拠したＤＶＤ信号面を有するＤＶＤであると判別し、前記第３光ディスクを前記ＣＤのＣＤ信号面と前記ＤＶＤのＤＶＤ信号面との間の位置にＣＤフォーマットに準拠したＣＤ信号面を有する光ディスクであると判別することを特徴とする（４）の光ディスク装置である。
【００２１】
更に、（６）の発明は、第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、
第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクとが選択的に装着可能とされ、
装着された光ディスクが前記第１，第２光ディスクのいずれの種類であるかを判別する光ディスク装置であって、
前記第１，第２レーザービームを前記光ディスクの信号面に選択的に照射してフォーカスサーチしながら第１，第２フォーカスエラー信号をそれぞれ検出するフォーカスエラー信号検出手段と、
前記第１，第２フォーカスエラー信号の各プラス側レベルＦＥＰと各マイナス側レベルＦＥＭとを求めて、１００×（ＦＥＰ−ＦＥＭ）／（ＦＥＰ＋ＦＥＭ）の演算により第１，第２フォーカスバランス信号値をそれぞれ検出するフォーカスバランス信号値検出手段と、
前記第１フォーカスバランス信号値と前記第２フォーカスバランス信号値とを加算した合計値が所定の閾値以上であれば前記光ディスクが前記第１光ディスクであると判別する一方、前記所定の閾値よりも小さければ前記第２光ディスクであると判別する光ディスク種類判別手段と、
を備えたことを特徴する光ディスク装置である。
【発明の効果】
【００２２】
（１），（２）の光ディスクの種類判別方法及び（４），（５）の光ディスク装置によると、第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクと、第３光ディスク基板のビーム入射面から前記第１距離と前記第２距離との間の値の第３距離隔てた位置に前記第１記録フォーマットに準拠した第３信号面を有し、この第３信号面に前記第１レーザービームを照射して情報信号を記録又は再生する第３光ディスクとを選択的に装着して、装着された光ディスクが第１〜第３光ディスクのいずれの種類であるかを判別する際に、とくに、第１，第２フォーカスエラー信号振幅値のうち少なくとも一方を参照して光ディスクが第１光ディスクであるか否かを判別した後に、該否と判別された場合は、第１フォーカスバランス信号値と第２フォーカスバランス信号値とを加算した合計値が所定の閾値以上であれば光ディスクが第３光ディスクであると判別する一方、所定の閾値よりも小さければ第２光ディスクであると判別しているので、３種類の第１〜第３光ディスクを正確に判別することができると共に、光ディスク装置内に光ディスクの種類を判別するための新たな装置や複雑な処理を行う必要がないので、光ディスク装置を安価に提供できる。
【００２３】
この際、光ディスク種類判別ステップ（光ディスク種類判別手段）により判別される３種類の第１〜第３光ディスクは、ＣＤフォーマットに準拠したＣＤ信号面を有するＣＤ（第１光ディスク）と、ＤＶＤフォーマットに準拠したＤＶＤ信号面を有するＤＶＤ（第２光ディスク）と、前記ＣＤのＣＤ信号面と前記ＤＶＤのＤＶＤ信号面との間の位置にＣＤフォーマットに準拠したＣＤ信号面を有する光ディスク（第３光ディスク）とが適用可能である。
【００２４】
また、（３）の光ディスクの種類判別方法及び（６）の光ディスク装置によると、第１光ディスク基板のビーム入射面から第１距離隔てた位置に第１記録フォーマットに準拠した第１信号面を有し、この第１信号面に第１レーザービームを照射して情報信号を記録又は再生する第１光ディスクと、第２光ディスク基板のビーム入射面から前記第１距離よりも小さい値の第２距離隔てた位置に第２記録フォーマットに準拠した第２信号面を有し、この第２信号面に前記第１レーザービームよりも波長が短い第２レーザービームを照射して情報信号を記録又は再生する第２光ディスクとを選択的に装着して、装着された光ディスクが第１，第２光ディスクのいずれの種類であるかを判別する際に、とくに、第１フォーカスバランス信号値と第２フォーカスバランス信号値とを加算した合計値が所定の閾値以上であれば光ディスクが第１光ディスクであると判別する一方、所定の閾値よりも小さければ第２光ディスクであると判別しているので、上記した（１），（２）の光ディスクの種類判別方法及び（４），（５）の光ディスク装置よりも判別動作を簡素化しているので、２種類の第１，第２光ディスクを正確且つスピーディに判別することができる。
【発明を実施するための最良の形態】
【００２５】
以下に本発明に係る光ディスクの種類判別方法及び光ディスク装置の一実施例を図２〜図９を参照して詳細に説明する。
尚、以下の説明において、先に図１（ａ）〜（ｄ）を用いて説明した部材と同じ部材に対して同じ符番を付して説明する。
【実施例】
【００２６】
図２は本発明に係る光ディスク装置の全体構成を示した構成図、
図３は光ピックアップ内に設けた多分割型フォトディテクタを拡大して示した図、
図４は本発明の要部となるフォーカスエラー信号振幅値とフォーカスバランス信号値とを求めるためにフォーカスエラー信号を模式的に示した図である。
【００２７】
図２に示した如く、実施例の光ディスク装置６０では、この内部に装置全体を制御するための制御部６１がマイクロコンピュータを用いて設けられており、且つ、制御部６１内には制御動作を指令するソフトを予め格納したＲＯＭ６１ａと、後述するフォーカスエラー信号振幅値やフォーカスバランス信号値を一時的に記憶させるＲＡＭ６１ｂと、後述するフォーカスエラー信号振幅値やフォーカスバランス信号値に基づいて光ディスクの種類を判別する光ディスク種類判別部６１ｃとが設けられている。
【００２８】
また、光ディスク装置６０内には、光ディスクＤとして先に図１（ａ）〜（ｄ）を用いて説明したような、ＣＤ信号面１２を有するＣＤ１０と、ＤＶＤ信号面２２を有する１層タイプのＤＶＤ−ＳＬ２０と、第１，第２ＤＶＤ信号面３２，３４を有する２層タイプのＤＶＤ−ＤＬ３０と、一方の面側にＣＤ信号面４２を有し且つ他方の面側にＤＶＤ信号面４４を有する両面側のＤｕａｌ  Ｄｉｓｃ４０とが、選択的に装着可能になっている。
【００２９】
この際、先に説明した図１（ａ）〜（ｄ）において、光ディスク基板１１のビーム入射面１１ａから略１．２ｍｍ隔てた位置にＣＤ信号面１２を有するＣＤ１０を第１光ディスクと呼称し、また、光ディスク基板２１のビーム入射面２１ａから略０．６ｍｍ隔てた位置にＤＶＤ信号面２２を有するＤＶＤ２０を第２光ディスクと呼称し、更に、第１光ディスク基板４１のビーム入射面４１ａから略０．９ｍｍ隔てた位置にＣＤ信号面４２を有するＤｕａｌ  Ｄｉｓｃ４０の一方の面側の光ディスクを第３光ディスクと呼称した場合に、上記したＤｕａｌ  Ｄｉｓｃ４０は第１光ディスクと第３光ディスクとを組み合わせたものに該当するものである。
【００３０】
従って、上記から、第１光ディスクは、第１光ディスク基板のビーム入射面から第１距離（略１．２ｍｍ）隔てた位置に第１記録フォーマット（ＣＤフォーマット）に準拠した第１信号面（ＣＤ信号面）を有し、この第１信号面（ＣＤ信号面）に第１レーザービーム（Ｌ１）を照射して情報信号を記録又は再生するものである。
【００３１】
また、第２光ディスクは、第２光ディスク基板のビーム入射面から前記第１距離（略１．２ｍｍ）よりも小さい値の第２距離（略０．６ｍｍ）隔てた位置に第２記録フォーマット（ＤＶＤフォーマット）に準拠した第２信号面（ＤＶＤ信号面）を有し、この第２信号面（ＤＶＤ信号面）に前記第１レーザービーム（Ｌ１）よりも波長が短い第２レーザービーム（Ｌ２）を照射して情報信号を記録又は再生するものである。
【００３２】
更に、第３光ディスクは、第３光ディスク基板のビーム入射面から前記第１距離（略１．２ｍｍ）と前記第２距離（略０．６ｍｍ）との間の値の第３距離（略０．９ｍｍ）隔てた位置に前記第１記録フォーマット（ＣＤフォーマット）に準拠した第３信号面（ＣＤ信号面）を有し、この第３信号面（ＣＤ信号面）に前記第１レーザービーム（Ｌ１）を照射して情報信号を記録又は再生するものである。
【００３３】
そして、種類が不明である光ディスクＤがスピンドルモータ６２の軸６２ａに固着したターンテーブル６３上に着脱可能に搭載されて、上方からディスククランパ６４でターンテーブル６３上に押圧されてしっかりとクランプされていると共に、制御部６１からの指令で動作する第１モータ駆動回路６５を介してスピンドルモータ６２の回転数が制御されて、光ディスクＤがターンテーブル６３及びディスククランパ６４と一体に回転自在になっている。
【００３４】
また、光ディスクＤの下方には、光ピックアップ７０が光ディスクＤの半径方向に移動自在に設けられており、この光ピックアップ７０は、光ピックアップ筐体７１の螺合部７１ａが制御部６１からの指令で動作する第２モータ駆動回路６６により回転駆動されるスレッドモータ６７に連結したリードスクリュー６８に螺合することで、光ディスクＤの半径方向に直線移動自在に設けられている。
【００３５】
上記した光ピックアップ７０は、再生専用タイプの光ディスクと記録再生可能タイプの光ディスクとに対応できるように３ビーム方式を採用して構成されている。
【００３６】
具体的に説明すると、光ピックアップ７０の光ピックアップ筐体７１内には、波長７８０ｎｍ近辺のレーザー光を出射するＣＤ用の第１レーザー光源７２ａ及び波長６５０ｎｍ近辺のレーザー光を出射するＤＶＤ用の第２レーザー光源７２ｂと、これら第１又は第２レーザー光源７２ａ又は７２ｂからのレーザー光を平行光に変換するコリメータレンズ７３と、この平行光のレーザー光をメインビームと２つのサブビームとによる３ビームに分離する回折素子７４と、第１又は第２レーザー光源７２ａ又は７２ｂからのレーザー光と光ディスクＤからの戻り光とを分離するビームスプリッタ７５と、平行光のレーザー光を円偏光に変換するλ／４板７６と、レンズホルダ７７内に取り付けられてメインビームと２つのサブビームとによる３ビームの第１又は第２レーザービームＬ１又はＬ２を光ディスクＤの信号面上に選択的に集光する対物レンズ７８と、レンズホルダ７７の外周に取り付けられて対物レンズ７８をトラッキング方向及びフォーカス方向に揺動させるトラッキングコイル７９及びフォーカスコイル８０と、光ディスクＤの信号面で反射されたメインビームと２つのサブビームとによる３ビームの戻り光を検出レンズ８１，シリンドリカルレンズ８２を介して検出する多分割型フォトディテクタ８３とで構成されている。
【００３７】
そして、制御部６１の指令によりレーザー駆動回路８４及びスイッチ８５を介して第１，第２レーザー光源７２ａ，７２ｂのいずれか一方を選択的に始動させて所定波長のレーザー光を出射させると、このレーザー光はコリメータレンズ７３，回折素子７４，ビームスプリッタ７５，λ／４板７６を経由して対物レンズ７８に入射され、この対物レンズ７８で絞り込んだメインビームと２つのサブビームとによる３ビームの第１又は第２レーザービームＬ１又はＬ２が光ディスクＤの信号面に到達し、メインビームは信号面中の一つのトラックにスポット状に照射されると共に、２つのサブビームは一つのトラックを中心とした両側にスポット状に照射されている。
【００３８】
この際、対物レンズ７８は、λ／４板７６と対向する面側にＣＤ用に対して開口数（ＮＡ）が略０．４５、ＤＶＤ用に対して開口数（ＮＡ）が略０．６程度となるように開口制限処理が施されている。また、対物レンズ７８は、図１（ｄ）に示したＤｕａｌ  Ｄｉｓｃ４０中で第１光ディスク基板４１のビーム入射面４１ａから略０．９ｍｍ隔てた位置にあるＣＤ信号面４２に対して多少有利な光学設計となるように焦点距離が１．１ｍｍに設定されており、且つ、図１（ａ）に示したＣＤ１０中で光ディスク基板１１のビーム入射面１１ａから略１．２ｍｍ隔てた位置にあるＣＤ信号面１２に対しても支障のないように光学設計されている。
【００３９】
この後、光ディスクＤの信号面に膜付けした金属反射層（図示せず）で反射されたメインビームの戻り光と２つのサブビームの戻り光とが、対物レンズ７８，λ／４板７６を通過してビームスプリッタ７５で反射されて検出レンズ８１，シリンドリカルレンズ８２を介して多分割型フォトディテクタ８３上にそれぞれに集光される。
【００４０】
ここで、多分割型フォトディテクタ８３は、図３に拡大して示したように、光ディスクＤ上の一つのトラックに照射したメインビームの戻り光を検出する４個の受光領域Ａ〜Ｄと、一つのトラックに隣接する一方のトラックに照射した一方のサブビームを検出する２個の受光領域Ｅ，Ｆと、一つのトラックに隣接する他方のトラックに照射した他方のサブビームを検出する２個の受光領域Ｇ，Ｈとが一つの半導体基板（図示せず）上に配置されており、各領域Ａ〜Ｈは光ディスクＤのトラック方向及び半径方向に対して図示の配置関係となっている。
【００４１】
再び図２に戻り、光ピックアップ６０内の多分割型フォトディテクタ８３より後段には、トラッキング制御系としてトラッキングエラー信号検出回路８６と第１Ａ／Ｄ変換器８７とが制御部６１に接続され、且つ、フォーカス制御系としてフォーカスエラー信号検出回路９０と第２Ａ／Ｄ変換器９１とが制御部６１に接続されていると共に、第２Ａ／Ｄ変換器９１より後段に本発明の要部となるフォーカスエラー信号振幅値検出回路９４とフォーカスバランス信号値検出回路９５とが制御部６１にそれぞれ接続されている。
【００４２】
更に、多分割型フォトディテクタ８３より後段にＲＦ信号処理回路９６が設けられている。
【００４３】
ここで、上記したトラッキングエラー信号検出回路８６では、対物レンズ７８を光ディスクＤに対してトラッキング方向に制御するためのトラッキングエラー信号ＴＥを検出しており、このトラッキングエラー信号ＴＥは周知のＤＰＰ（Ｄｉｆｆｅｒｅｎｔｉａｌ  Ｐｕｓｈ  Ｐｕｌｌ）法により図３に示した多分割型フォトディテクタ８３内の各受光領域Ａ〜Ｈで受光した各検出信号に対して下記の式１に基づいて演算処理されている。
［数１］
ＴＥ＝｛（Ａ＋Ｄ）−（Ｂ＋Ｃ）｝＋｛（Ｅ−Ｆ）＋（Ｇ−Ｈ）｝  ………（式１）。
【００４４】
そして、トラッキングエラー信号検出回路８６で検出したアナログのトラッキングエラー信号ＴＥを第１Ａ／Ｄ変換器８７でディジタルのトラッキングエラー信号ＴＥに変換して制御部６１に入力させ、この後、制御部６１内でトラッキングエラー信号ＴＥに基づいてトラッキング制御駆動信号ＴＤを生成して、このトラッキング制御駆動信号ＴＤを第１Ｄ／Ａ変換器８８及びトラッキング制御駆動信号駆動回路８９を介してトラッキングコイル７９に印加することで、対物レンズ７８が光ディスクＤに対してトラッキング制御できるようになっている。
【００４５】
次に、上記したフォーカスエラー信号検出回路９０では、対物レンズ７８を光ディスクＤに対してフォーカス方向に制御するためのフォーカスエラー信号ＦＥを検出しており、このフォーカスエラー信号ＦＥは周知の非点収差法により図３に示した多分割型フォトディテクタ８３内の各受光領域Ａ〜Ｄで受光した各検出信号に対して下記の式２に基づいて演算処理されている。
［数２］
ＦＥ＝（Ａ＋Ｃ）−（Ｂ＋Ｄ）    ………（式２）。
【００４６】
そして、フォーカスエラー信号検出回路９０で検出したアナログのフォーカスエラー信号ＦＥを第２Ａ／Ｄ変換器９１でディジタルのフォーカスエラー信号ＦＥに変換して制御部６１に入力させ、この後、制御部６１内でフォーカスエラー信号ＦＥに基づいてフォーカス制御駆動信号ＦＤを生成して、このフォーカス制御駆動信号ＦＤを第２ＤＡ変換器９２及びフォーカス制御駆動信号駆動回路９３を介してフォーカスコイル８０に印加することで、対物レンズ７８が光ディスクＤに対してフォーカス制御できるようになっている。
【００４７】
この際、フォーカスエラー信号検出回路９０で検出したアナログのフォーカスエラー信号ＦＥは図４に示したように得られており、このフォーカスエラー信号ＦＥのプラス側レベルをＦＥＰと設定し、且つ、フォーカスエラー信号ＦＥのマイナス側レベルをＦＥＭと設定した時に、本発明ではＣＤ用の第１レーザービームＬ１とＤＶＤ用の第２レーザービームＬ２とを光ディスクＤの信号面にそれぞれ照射して、第１，第２レーザービームＬ１，Ｌ２に対するフォーカスエラー信号ＦＥのプラス側レベルＦＥＰとマイナス側レベルＦＥＭとをそれぞれ求め、これらのレベルＦＥＰ，ＦＥＭを基にしてフォーカスエラー信号振幅値ＦＥＳとフォーカスバランス信号値ＦＢＡＬ（％）とを演算処理することで光ディスクＤの種類を判別している。
【００４８】
即ち、アナログのフォーカスエラー信号ＦＥを第２Ａ／Ｄ変換器９１でディジタルのフォーカスエラー信号ＦＥに変換した後に、フォーカスエラー信号振幅値検出回路９４でディジタルのフォーカスエラー信号ＦＥに対して所定のタイミングでサンプリングしてフォーカスエラー信号ＦＥのプラス側レベルＦＥＰとマイナス側レベルＦＥＭとを求めてフォーカスエラー信号振幅値ＦＥＳを下記の式３に基づいて演算処理し、第１，第２レーザービームＬ１，Ｌ２に対するフォーカスエラー信号振幅値ＦＥＳを制御部６１内に設けた光ディスク判別部６１ｃにそれぞれ入力している。
［数３］
ＦＥＳ＝ＦＥＰ＋ＦＥＭ………（式３）。
【００４９】
この際、以下の説明において、対物レンズ７８で絞り込んだ波長７８０ｎｍ近辺のＣＤ用の第１レーザービームＬ１を光ディスクＤの信号面に照射して得た時のフォーカスエラー信号振幅値ＦＥＳをＣＤ-ＦＥ信号振幅値と呼称し、一方、対物レンズ７８で絞り込んだ波長６５０ｎｍ近辺のＤＶＤ用の第２レーザービームＬ２を光ディスクＤの信号面に照射して得た時のフォーカスエラー信号振幅値ＦＥＳをＤＶＤ-ＦＥ信号振幅値と呼称する。
【００５０】
また、アナログのフォーカスエラー信号ＦＥを第２Ａ／Ｄ変換器９１でディジタルのフォーカスエラー信号ＦＥに変換した後に、フォーカスバランス信号値検出回路９５でディジタルのフォーカスエラー信号ＦＥに対して所定のタイミングでサンプリングしてフォーカスエラー信号ＦＥのプラス側レベルＦＥＰとマイナス側レベルＦＥＭとを求めてフォーカスバランス信号値ＦＢＡＬ（％）を下記の式４に基づいて演算処理し、第１，第２レーザービームＬ１，Ｌ２に対するフォーカスバランス信号値ＦＢＡＬ（％）を制御部６１内に設けた光ディスク判別部６１ｃにそれぞれ入力している。
［数４］
ＦＢＡＬ（％）＝１００×（ＦＥＰ−ＦＥＭ）／（ＦＥＰ＋ＦＥＭ）……（式４）。
【００５１】
この際、上記したフォーカスバランス信号値ＦＢＡＬ（％）は、光ディスクＤの信号面に対して対物レンズ７８で絞り込んだＣＤ用の第１レーザービームＬ１又はＤＶＤ用の第２レーザービームＬ２の焦点位置を移動させるための信号であり、以下の説明において、対物レンズ７８で絞り込んだ波長７８０ｎｍ近辺のＣＤ用の第１レーザービームＬ１を光ディスクＤの信号面に照射して得た時のフォーカスバランス信号値ＦＢＡＬをＣＤ-ＦＢＡＬ信号値と呼称し、一方、対物レンズ７８で絞り込んだ波長６５０ｎｍ近辺のＤＶＤ用の第２レーザービームＬ２を光ディスクＤの信号面に照射して得た時のフォーカスバランス信号値ＦＢＡＬをＤＶＤ-ＦＢＡＬ信号値と呼称する。
【００５２】
次に、上記したＲＦ信号処理回路９６では、光ディスクＤの信号面に記録された映像データとか音声データなどによるメインデータ信号ＲＦ（ＲＦ信号）を図３に示した多分割型フォトディテクタ８３内の各受光領域Ａ〜Ｄで受光した各検出信号に対して下記の式５に基づいて演算処理されている。
［数５］
ＲＦ＝Ａ＋Ｂ＋Ｃ＋Ｄ    ………（式５）。
【００５３】
そして、ＲＦ信号処理回路９６内では、光ディスクＤの種類を検出した結果に応じて、光ディスクＤの規格に対応した所定のフォーマットに基づいてメインデータ信号ＲＦ（ＲＦ信号）が得られている。
【００５４】
次に上記のように構成した光ディスク装置６０内で光ディスクＤの種類を判別する動作について、先に示した図1〜図４と、新たな図５〜図８とを併用して説明する。
【００５５】
図５は本発明に係る実施例の光ディスクの種類判別方法を説明するためのフロー図、
図６はシミュレーションによりＣＤ用の第１レーザービームと、ＤＶＤ用の第２レーザービームとをＣＤのＣＤ信号面、Ｄｕａｌ  ＤｉｓｃのＣＤ信号面、１層タイプのＤＶＤの信号面にそれぞれ照射した時に、各戻り光を多分割型フォトディテク上に結像させた状態を摸式的に示した図、
図７はＣＤ用の第１レーザービームを光ディスクの信号面に照射して得た時のＣＤ-ＦＢＡＬ信号値と、ＤＶＤ用の第２レーザービームを光ディスクの信号面に照射して得た時のＤＶＤ-ＦＢＡＬ信号値とを光ディスクの種類に対応して示した図、
図８は（ＣＤ-ＦＢＡＬ信号値）＋（ＤＶＤ-ＦＢＡＬ信号値）を光ディスクの種類に対応して示した図である。
【００５６】
図２及び図５に示した如く、ステップＳ１００では、種類が不明である光ディスクＤを光ディスク装置６０内のターンテーブル６３上に装着して、この光ディスクＤをターンテーブル６３と一体に回転させる。
【００５７】
次に、光ピックアップ７０内に設けたＣＤ用の第１レーザー光源７２ａと、ＤＶＤ用の第２レーザー光源７２ｂとを選択的に作動させて、ステップＳ１０２Ａ〜Ｓ１０６Ａと、ステップＳ１０２Ｂ〜Ｓ１０６Ｂとをどちらか一方を先に行なっても良いが両方を実行する。
【００５８】
即ち、まず、ステップＳ１０２Ａ〜Ｓ１０６Ａ中のステップＳ１０２Ａでは、対物レンズ７８で絞り込んだ波長７８０ｎｍ近辺のＣＤ用の第１レーザービームＬ１を光ディスクＤの信号面に照射してフォ−カスサーチしながら、光ディスク装置６０内に設けたフォ−カスエラー信号検出回路９０及び第２Ａ/Ｄ変換器９１により第１レーザービームＬ１に対応したディジタルのフォーカスエラー信号ＦＥを得て、このディジタルのフォーカスエラー信号ＦＥを制御部６１とフォーカスエラー信号振幅値検出回路９４とフォーカスバランス信号値検出回路９５とに入力している。
【００５９】
次に、ステップＳ１０４Ａでは、フォーカスエラー信号振幅値検出回路９４により、ステップＳ１０２Ａで第１レーザービームＬ１に対応して得られたディジタルのフォーカスエラー信号ＦＥに対して所定のタイミングでサンプリングして先の式３によりＣＤ−ＦＥ信号振幅値を得て、このＣＤ−ＦＥ信号振幅値を制御部６１のＲＡＭ６１ｂ内に一時的に格納している。
【００６０】
次に、ステップＳ１０６Ａでは、フォーカスバランス信号値検出回路９５により、ステップＳ１０２Ａで第１レーザービームＬ１に対応して得られたディジタルのフォーカスエラー信号ＦＥに対して所定のタイミングでサンプリングして先の式４によりＣＤ−ＦＢＡＬ信号値を得て、このＣＤ−ＦＢＡＬ信号値を制御部６１のＲＡＭ６１ｂ内に一時的に格納している。
【００６１】
一方、ステップＳ１０２Ｂ〜Ｓ１０６Ｂ中のステップＳ１０２Ｂでは、対物レンズ７８で絞り込んだ波長６５０ｎｍ近辺のＤＶＤ用の第２レーザービームＬ２を光ディスクＤの信号面に照射してフォ−カスサーチしながら、光ディスク装置６０内に設けたフォーカスエラー信号検出回路９０及び第２Ａ/Ｄ変換器９１により第２レーザービームＬ２に対応したディジタルのフォーカスエラー信号ＦＥを得て、このディジタルのフォーカスエラー信号ＦＥを制御部６１とフォーカスエラー信号振幅値検出回路９４とフォーカスバランス信号値検出回路９５とに入力している。
【００６２】
次に、ステップＳ１０４Ｂでは、フォーカスエラー信号振幅値検出回路９４により、ステップＳ１０２Ｂで第２レーザービームＬ２に対応して得られたディジタルのフォーカスエラー信号ＦＥに対して所定のタイミングでサンプリングして先の式３によりＤＶＤ−ＦＥ信号振幅値を得て、このＤＶＤ−ＦＥ信号振幅値を制御部６１のＲＡＭ６１ｂ内に一時的に格納している。
【００６３】
次に、ステップＳ１０６Ｂでは、フォーカスバランス信号値検出回路９５により、ステップＳ１０２Ｂで第２レーザービームＬ２に対応して得られたディジタルのフォーカスエラー信号ＦＥに対して所定のタイミングでサンプリングして先の式４によりＤＶＤ−ＦＢＡＬ信号値を得て、このＤＶＤ−ＦＢＡＬ信号値を制御部６１のＲＡＭ６１ｂ内に一時的に格納している。
【００６４】
次に、ステップＳ１０８では、上記したステップＳ１０４Ａで得られたＣＤ−ＦＥ信号振幅値及び上記したステップＳ１０４Ｂで得られたＤＶＤ−ＦＥ信号振幅値のうち少なくとも一方を参照して、光ディスクＤがＣＤ規格ディスクであるか否かを制御部６１内の光ディスク種類判別部６１ｃで判別している。
【００６５】
ここで、ＣＤ用の第１レーザービームＬ１と、ＤＶＤ用の第２レーザービームＬ２とを光ディスクＤの信号面に照射し、この信号面で反射された戻り光のメインビームを多分割型フォトディテクタ８３の領域Ａ〜Ｄ内で受光した時に、領域Ａ〜Ｄ内で受光した受光分布は、図６に示したように、光ディスクＤの種類によって異なっているので、先の式２により演算されるフォーカスエラー信号ＦＥも多分割型フォトディテクタ８３の領域Ａ〜Ｄ内で受光した受光分布に応じて得られる。
【００６６】
尚、図６中で多分割型フォトディテクタ８３の領域Ｅ〜Ｈは、２つのサブビームを受光して先の式１によりトラッキングエラー信号ＴＥを得るためのものであるので、ここでの説明を省略する。
【００６７】
具体的に説明すると、シミュレーションにより多分割型フォトディテクタ８３の領域Ａ〜Ｄ内の受光分布を求めた時に、図６（ａ）はＣＤ用の第１レーザービームＬ１をＣＤ１０のＣＤ信号面１２に照射した場合を示し、図６（ｂ）はＣＤ用の第１レーザービームＬ１をＤｕａｌ  Ｄｉｓｃ４０のＣＤ信号面４２に照射した場合を示し、図６（ｃ）はＣＤ用の第１レーザービームＬ１をＤＶＤ−ＳＬ２０のＤＶＤ信号面２２に照射した場合を示し、図６（ｄ）はＤＶＤ用の第２レーザービームＬ２をＣＤ１０のＣＤ信号面１２に照射した場合を示し、図６（ｅ）はＤＶＤ用の第２レーザービームＬ２をＤｕａｌ  Ｄｉｓｃ４０のＣＤ信号面４２に照射した場合を示し、図６（ｆ）はＤＶＤ用の第２レーザービームＬ２をＤＶＤ−ＳＬ２０のＤＶＤ信号面２２に照射した場合を示している。
【００６８】
尚、図６中での記載を省略するものの、２層タイプのＤＶＤ−ＤＬ３０の第１，第２ＤＶＤ信号面３２，３４及びＤｕａｌ  Ｄｉｓｃ４０のＤＶＤ信号面４４は、ビーム入射面から各信号面までの距離が１層タイプのＤＶＤ−ＳＬ２０のＤＶＤ信号面２２と同じであるのでこのＤＶＤ信号面２２と同様の結果が得られるものである。
【００６９】
上記した図６（ａ）〜（ｆ）に示したシミュレーション結果を観察すると、図６（ｂ）又は図６（ｅ）に示したように、ＣＤ１０のＣＤ信号面１２よりビーム入射面からの距離が０．３ｍｍ程度少ないＤｕａｌ  Ｄｉｓｃ４０のＣＤ信号面４２に第１レーザービームＬ１又は第２レーザービームＬ２を照射した場合に、前述したように対物レンズ７８はＤｕａｌ  Ｄｉｓｃ４０のＣＤ信号面４２に対して多少有利となるように焦点距離が１．１ｍｍに設定されているので、この対物レンズ７８により生じるフォーカスボケを積極的に利用することにより、多分割型フォトディテクタ８３の領域Ａ〜Ｄ内の受光分布は、図６（ａ）に示したＣＤ１０のＣＤ信号面１２の場合の受光分布パターンに対して異なっており、ＤＶＤ規格の光ディスクの受光分布パターンに近似しているので、フオーカスエラー信号振幅値ＦＥＳを求めた段階でＤｕａｌ  Ｄｉｓｃ４０のＣＤ信号面４２を仮にＤＶＤ規格の光ディスクであると判別することが可能である。
【００７０】
従って、ステップＳ１０８では、ＣＤ−ＦＥ信号振幅値又はＤＶＤ−ＦＥ信号振幅値を参照して、ＣＤ−ＦＥ信号振幅値又はＤＶＤ−ＦＥ信号振幅がＣＤ１０のＣＤ信号面１２で得られる値に近い値である場合（Ｙｅｓの場合）に、ステップＳ２０２で光ディスクＤの信号面がＣＤ１０のＣＤ信号面１２であると判別できる一方、ＣＤ−ＦＥ信号振幅値又はＤＶＤ−ＦＥ信号振幅がＣＤ１０のＣＤ信号面１２で得られる値よりもかけ離れている場合（Ｎｏの場合）にＣＤ１０以外の光ディスク、言い換えると、ＤＶＤ規格の光ディスクであると判別することが可能となり、これにより、Ｄｕａｌ  Ｄｉｓｃ４０のＣＤ信号面４２を仮にＤＶＤ規格の光ディスクであると判別している。
【００７１】
そして、ステップＳ２０２でＣＤ１０のＣＤ信号面１２であると判別した後、ステップＳ２０４では、次処理として、ＣＤ用の第１レーザービームＬ１をＣＤ１０のＣＤ信号面１２に照射すると共に、ＣＤ規格の記録フォーマットに応じた各種条件設定を行なっている。
【００７２】
一方、ステップＳ１０８でＣＤ１０以外（Ｎｏ）の光ディスクであると判別された場合には、ステップＳ１１０で、ステップＳ１０６Ａで得たＣＤ-ＦＢＡＬ信号値と、ステップＳ１０６Ｂで得たＤＶＤ-ＦＢＡＬ信号値とを加算して、この合計値が所定の閾値以上であるか否かによりＣＤ１０以外の光ディスクの種類判別を制御部６１内の光ディスク種類判別部で行なっている。
【００７３】
この際、光ディスクの種類により、ＣＤ-ＦＢＡＬ信号値（％）と、ＤＶＤ-ＦＢＡＬ信号値（％）とを各種の光ディスクの信号面ごとに測定した結果が、下記の表１のように得られている。
【００７４】
【表１】
0004826820.tif 000002
【００７５】
この表１に基づいて、図７に光ディスクの種類に対応したＦＢＡＬ信号値（％）を図示している。
【００７６】
尚、図７中で□印はＣＤ用の第１レーザービームＬ１を光ディスクＤの信号面に照射して得た時のＣＤ-ＦＢＡＬ信号値を示し、○印はＤＶＤ用の第２レーザービームＬ２を光ディスクＤの信号面に照射して得た時のＤＶＤ-ＦＢＡＬ信号値を示している。
【００７７】
尚、表１及び図７中での記載を省略するものの、２層タイプのＤＶＤ−ＤＬ３０の第１，第２ＤＶＤ信号面３２，３４及びＤｕａｌ  Ｄｉｓｃ４０のＤＶＤ信号面４４は、ビーム入射面から各信号面までの距離が１層タイプのＤＶＤ−ＳＬ２０のＤＶＤ信号面２２と同じであるのでＤＶＤ信号面２２と同様の結果が得られるものである。
【００７８】
ここで、本発明に係る光ディスクの種類判別方法に用いられるＦＢＡＬ信号（フォーカスバランス信号）は、前述したように対物レンズ７８により絞り込んだ第１，第２レーザービームＬ１，Ｌ２に対して光ディスクＤの信号面へのフォーカスを調整するための信号であるから、第１レーザービームＬ１がビーム入射面から略１．２ｍｍ隔てた位置にあるＣＤ規格に準拠したＣＤ信号面に合焦点すればＣＤ−ＦＢＡＬ信号値は基本的に０％となり、同様に、第２レーザービームＬ２がビーム入射面から略０．６ｍｍ隔てた位置にあるＤＶＤ規格に準拠したＤＶＤ信号面に合焦点すればＤＶＤ−ＦＢＡＬ信号値は基本的に０％となる。
【００７９】
しかしながら、この実施例では、前述したように、光ピックアップ７０内に設けた対物レンズ７８は、ビーム入射面から略０．９ｍｍの位置にあるＤｕａｌ  Ｄｉｓｃ４０のＣＤ信号面４２に対して多少有利となるように焦点距離が１．１ｍｍに光学設計が施されている。
【００８０】
従って、対物レンズ７８で絞り込んだ第１レーザービームＬ１を、ビーム入射面から略１．２ｍｍ隔てた位置にあるＣＤ１０のＣＤ信号面１２と、ＣＤ１０のＣＤ信号面１２よりも略０．３ｍｍ程度ビーム入射面側にあるＤｕａｌ  Ｄｉｓｃ４０のＣＤ信号面４２とにそれぞれ照射した時にフォーカスボケがそれぞれ生じ、この際に生じたフォーカスボケを積極的に利用することにより、ＣＤ−ＦＢＡＬ信号値は０％ではなくなり、表１及び図７に示したように、ＣＤ１０のＣＤ信号面１２に対するＣＤ−ＦＢＡＬ信号値は４．８８％、Ｄｕａｌ  Ｄｉｓｃ４０のＣＤ信号面４２に対するＣＤ−ＦＢＡＬ信号値は−１９．４１％となる。
【００８１】
一方、対物レンズ７８で絞り込んだ第１レーザービームＬ１を、通常の使用とは異なってビーム入射面から略０．６ｍｍの位置前後に存在するＤＶＤ−ＳＬ２０のＤＶＤ信号面２２又はＤｕａｌ  Ｄｉｓｃ４０のＤＶＤ信号面４４，ＤＶＤ＋Ｒ及びＤＶＤ-Ｒの各ＤＶＤ信号面にそれぞれ照射した時には、表１及び図７に示したように、ＤＶＤ−ＳＬ２０のＤＶＤ信号面２２又はＤｕａｌ  Ｄｉｓｃ４０のＤＶＤ信号面４４に対するＣＤ−ＦＢＡＬ信号値は−３２．４７％、ＤＶＤ＋ＲのＤＶＤ信号面に対するＣＤ−ＦＢＡＬ信号値は−３６．８４％、ＤＶＤ−ＲのＤＶＤ信号面に対するＣＤ−ＦＢＡＬ信号値は−３２．８４％となる。
【００８２】
更に、対物レンズ７８で絞り込んだ第２レーザービームＬ２を、ＤＶＤ−ＳＬ２０のＤＶＤ信号面２２又はＤｕａｌ  Ｄｉｓｃ４０のＤＶＤ信号面４４，ＤＶＤ＋Ｒ及びＤＶＤ-Ｒの各ＤＶＤ信号面にそれぞれ照射した時にもＤＶＤ−ＦＢＡＬ信号値は０％ではなくなり、表１及び図７に示したように、ＤＶＤ−ＳＬ２０のＤＶＤ信号面２２又はＤｕａｌ  Ｄｉｓｃ４０のＤＶＤ信号面４４に対するＤＶＤ−ＦＢＡＬ信号値は−５．３％、ＤＶＤ＋ＲのＤＶＤ信号面に対するＤＶＤ−ＦＢＡＬ信号値は−３．２６％、ＤＶＤ−ＲのＤＶＤ信号面に対するＤＶＤ−ＦＢＡＬ信号値は−３．５８％となる。
【００８３】
一方、対物レンズ７８で絞り込んだ第２レーザービームＬ２を、通常の使用とは異なってＣＤ１０のＣＤ信号面１２と、Ｄｕａｌ  Ｄｉｓｃ４０のＣＤ信号面４２とにそれぞれ照射した時には、ＣＤ１０のＣＤ信号面１２に対するＤＶＤ−ＦＢＡＬ信号値は８．１％、Ｄｕａｌ  Ｄｉｓｃ４０のＣＤ信号面４２に対するＤＶＤ−ＦＢＡＬ信号値は１３．７４％となる。
【００８４】
従って、ステップＳ１１０で、表１に示した各種の光ディスクの信号面ごとに（ＣＤ-ＦＢＡＬ信号値）＋（ＤＶＤ-ＦＢＡＬ信号値）を求めれば、両者の合計値が図８に示したように得られる。
【００８５】
即ち、表１から、ＣＤ１０のＣＤ信号面１２に対して、（ＣＤ-ＦＢＡＬ信号値）＋（ＤＶＤ-ＦＢＡＬ信号値）＝４．８８％＋８．１％＝１２．９８％となり、各＋値同士が加算されて＋値が図８に示したように得られる。
【００８６】
また、Ｄｕａｌ  Ｄｉｓｃ４０のＣＤ信号面４２に対して、（ＣＤ-ＦＢＡＬ信号値）＋（ＤＶＤ-ＦＢＡＬ信号値）＝−１９．４１＋１３．７４％＝−５．６７％となり、−値と＋値とで相殺されて−１０％以内の値が図８に示したように得られる。
【００８７】
また、ＤＶＤ−ＳＬ２０のＤＶＤ信号面２２又はＤｕａｌ  Ｄｉｓｃ４０のＤＶＤ信号面４４に対して、（ＣＤ-ＦＢＡＬ信号値）＋（ＤＶＤ-ＦＢＡＬ信号値）＝−３２．４７−５．３％＝−３７．７７％となり、各−値同士が加算されて、−３０％以上の値が図８に示したように得られる。
【００８８】
また、ＤＶＤ＋ＲのＤＶＤ信号面に対して、（ＣＤ-ＦＢＡＬ信号値）＋（ＤＶＤ-ＦＢＡＬ信号値）＝−３６．８４−３．２６％＝−４０．１％となり、各−値同士が加算されて、−３０％以上の値が図８に示したように得られる。
【００８９】
また、ＤＶＤ−ＲのＤＶＤ信号面に対して、（ＣＤ-ＦＢＡＬ信号値）＋（ＤＶＤ-ＦＢＡＬ信号値）＝−３２．８４−３．５８％＝−３６．４２％となり、各−値同士が加算されて、−３０％以上の値が図８に示したように得られる。
【００９０】
この図８中で、（ＣＤ-ＦＢＡＬ信号値）＋（ＤＶＤ-ＦＢＡＬ信号値）の合計値に対する所定の閾値として例えば−２０％に設定すれば、所定の閾値以上（−２０％以上）の場合（Ｙｅｓの場合）には、ＣＤ１０のＣＤ信号面１２とＤｕａｌ  Ｄｉｓｃ４０のＣＤ信号面４２とが含まれるが、ＣＤ１０のＣＤ信号面１２は先のステップＳ１０８で判別済みであるので、ステップＳ１１２で光ディスクＤの信号面がＤｕａｌ  Ｄｉｓｃ４０のＣＤ信号面４２であると判別できる。
【００９１】
そして、ステップＳ１１２でＤｕａｌ  Ｄｉｓｃ４０のＣＤ信号面４２であると判別した後、ステップＳ１１４では、次処理として、ＣＤ用の第１レーザービームＬ１をＤｕａｌ  Ｄｉｓｃ４０のＣＤ信号面４２に照射すると共に、ＣＤ規格の記録フォーマットに応じた各種条件設定を行なっている。
【００９２】
一方、ステップＳ１１０で、（ＣＤ-ＦＢＡＬ信号値）＋（ＤＶＤ-ＦＢＡＬ信号値）の合計値が所定の閾値（例えば−２０％）よりも小さい場合（Ｎｏの場合）には、ステップＳ２１２で光ディスクＤの信号面がＤＶＤ−ＳＬ２０のＤＶＤ信号面２２、又は、Ｄｕａｌ  Ｄｉｓｃ４０のＤＶＤ信号面４４であると判別できる。勿論、図５中での記載を省略しているものの、ＤＶＤ＋ＲのＤＶＤ信号面及びＤＶＤ−ＲのＤＶＤ信号面も同様に判別できる。
【００９３】
そして、ステップＳ２１２でＤＶＤ−ＳＬ２０のＤＶＤ信号面２２、又は、Ｄｕａｌ  Ｄｉｓｃ４０のＤＶＤ信号面４４であると判別した後、ステップＳ２１４では、次処理として、ＤＶＤ用の第２レーザービームＬ２をＤＶＤ−ＳＬ２０のＤＶＤ信号面２２、又は、Ｄｕａｌ  Ｄｉｓｃ４０のＤＶＤ信号面４４に照射すると共に、ＤＶＤ規格の記録フォーマットに応じた各種条件設定を行なっている。
【００９４】
このように、ＣＤ-ＦＢＡＬ信号値とＤＶＤ-ＦＢＡＬ信号値とを加算した合計値を用いることで、ＤＶＤ規格相当であると仮に判定したＤｕａｌ  Ｄｉｓｃ４０のＣＤ信号面４２と、ＤＶＤ規格に準拠したＤＶＤ−ＳＬ２０のＤＶＤ信号面２２（又は、Ｄｕａｌ  Ｄｉｓｃ４０のＤＶＤ信号面４４）とを、正確に判別することができる。
【００９５】
従って、実施例の光ディスクの種類判別方法によれば、第１光ディスク基板のビーム入射面から第１距離（略１．２ｍｍ）隔てた位置に第１記録フォーマット（ＣＤフォーマット）に準拠した第１信号面（ＣＤ信号面）を有する第１光ディスク（ＣＤ１０のＣＤ信号面１２）と、第２光ディスク基板のビーム入射面から第１距離（略１．２ｍｍ）よりも小さい値の第２距離（略０．６ｍｍ）隔てた位置に第２記録フォーマット（ＤＶＤフォーマット）に準拠した第２信号面（ＤＶＤ信号面）を有する第２光ディスク（ＤＶＤ２０のＤＶＤ信号面２２、又は、Ｄｕａｌ  Ｄｉｓｃ４０のＤＶＤ信号面４４）と、第３光ディスク基板のビーム入射面から第１距離（略１．２ｍｍ）と第２距離（略０．６ｍｍ）との間の値の第３距離（略０．９ｍｍ）隔てた位置に前記第１記録フォーマット（ＣＤフォーマット）に準拠した第３信号面（ＣＤ信号面）を有する第３光ディスク（Ｄｕａｌ  Ｄｉｓｃ４０のＣＤ信号面４２）とを、正確に判別することができる。
【００９６】
この際、光ディスク装置６０内に光ディスクＤの種類を判別するための新たな装置や複雑な処理を行う必要がないので、光ディスク装置６０を安価に提供できる。
【００９７】
次に、実施例の光ディスクの種類判別方法を一部変形させた変形例について図９を用いて説明する。
【００９８】
図９は本発明に係る実施例の光ディスクの種類判別方法を一部変形させた変形例を説明するためのフロー図である。
【００９９】
尚、この図９中において、先に示した図５の実施例と同じ動作を行なうステップに対して同一の符号を付し、異なるステップに対して異なる符号を付して、実施例に対して異なる点を中心にして説明する。
【０１００】
この変形例において、ＣＤ１０のＣＤ信号面１２と、Ｄｕａｌ  Ｄｉｓｃ４０のＣＤ信号面４２は、ビーム入射面からの距離がそれぞれ略１．２ｍｍと略０．９ｍｍで異なるものの、記録フォーマットが共にＣＤ規格に準拠しているので、制御部６１内の光ディスク種類判別部６１ｃ（図２）によりＣＤ規格に準拠した光ディスクＤの信号面と判別すれば良い。
【０１０１】
一方、ＤＶＤ−ＳＬ２０のＤＶＤ信号面２２又はＤｕａｌ  Ｄｉｓｃ４０のＤＶＤ信号面４４と、ＤＶＤ＋ＲのＤＶＤ信号面と、ＤＶＤ−ＲのＤＶＤ信号面は、ビーム入射面からの距離がそれぞれ略０．６ｍｍで、記録フォーマットが共にＤＶＤ規格に準拠しているので、制御部６１内の光ディスク種類判別部６１ｃ（図２）によりＤＶＤ規格に準拠した光ディスクＤの信号面と判別すれば良い。
【０１０２】
ここで、先の図８で説明したように、（ＣＤ-ＦＢＡＬ信号値）＋（ＤＶＤ-ＦＢＡＬ信号値）の合計値に対する所定の閾値（例えば−２０％）を設定すれば、ＣＤ規格に準拠した光ディスクＤの信号面であるか、ＤＶＤ規格に準拠した光ディスクＤの信号面であるかを判別することができることは明らかである。
【０１０３】
従って、図９に示した変形例の光ディスクの種類判別方法では、先に図５の実施例で説明したステップ１０４Ａ，Ｓ１０４ＢによるＣＤ−ＦＥ信号振幅値，ＤＶＤ−ＦＥ信号振幅値の取得動作を省略でき、これに伴って、ステップＳ１０８によるＣＤ１０であるかＣＤ１０以外の光ディスクＤであるかの判別を省略できるので、実施例よりも光ディスクの種類判別動作を簡略化してスピーディに行なうことができると共に、光ディスク装置６０内に設けたフォーカスエラー信号振幅値検出回路９４を省略することで装置６０のコストダウンを図ることができる。
【０１０４】
具体的には、図９に示した如く、ステップＳ１１０で（ＣＤ-ＦＢＡＬ信号値）＋（ＤＶＤ-ＦＢＡＬ信号値）の合計値が所定の閾値（例えば−２０％）以上であるか否かを問い、所定の閾値以上の場合（Ｙｅｓの場合）には、ステップＳ１１２Ａで光ディスクＤの信号面がＣＤ１０のＣＤ信号面１２、又は、Ｄｕａｌ  Ｄｉｓｃ４０のＣＤ信号面４２であると判別できる。
【０１０５】
そして、ステップＳ１１２ＡでＣＤ１０のＣＤ信号面１２、又は、Ｄｕａｌ  Ｄｉｓｃ４０のＣＤ信号面４２であると判別した後、ステップＳ１１４では、次処理として、ＣＤ用の第１レーザービームＬ１をＤｕａｌ  Ｄｉｓｃ４０のＣＤ信号面４２に照射すると共に、ＣＤ規格の記録フォーマットに応じた各種条件設定を行なっている。
【０１０６】
一方、ステップＳ１１０で、（ＣＤ-ＦＢＡＬ信号値）＋（ＤＶＤ-ＦＢＡＬ信号値）の合計値が所定の閾値（例えば−２０％）よりも小さい場合（Ｎｏの場合）には、ステップＳ２１２で光ディスクＤの信号面がＤＶＤ−ＳＬ２０のＤＶＤ信号面２２、又は、Ｄｕａｌ  Ｄｉｓｃ４０のＤＶＤ信号面４４であると判別できる。勿論、図９中での記載を省略しているものの、ＤＶＤ＋ＲのＤＶＤ信号面及びＤＶＤ−ＲのＤＶＤ信号面も同様に判別できる。
【０１０７】
そして、ステップＳ２１２でＤＶＤ−ＳＬ２０のＤＶＤ信号面２２、又は、Ｄｕａｌ  Ｄｉｓｃ４０のＤＶＤ信号面４４であると判別した後、ステップＳ２１４では、次処理として、ＤＶＤ用の第２レーザービームＬ２をＤＶＤ−ＳＬ２０のＤＶＤ信号面２２、又は、Ｄｕａｌ  Ｄｉｓｃ４０のＤＶＤ信号面４４に照射すると共に、ＤＶＤ規格の記録フォーマットに応じた各種条件設定を行なっている。
【０１０８】
従って、変形例の光ディスクの種類判別方法によれば、先に説明した実施例よりも判別動作を簡素化しているので、第１記録フォーマット（ＣＤフォーマット）に準拠した第１信号面を有する第１光ディスク（ＣＤ１０のＣＤ信号面１２、又は、Ｄｕａｌ  Ｄｉｓｃ４０のＣＤ信号面４２）と、第２記録フォーマット（ＤＶＤフォーマット）に準拠した第２信号面を有する第２光ディスク（ＤＶＤ２０のＤＶＤ信号面２２、又は、Ｄｕａｌ  Ｄｉｓｃ４０のＤＶＤ信号面４４）とを、正確且つスピーディに判別することができる。
【０１０９】
更に、最近、ＤＶＤよりも更に超高密度化を図ったＢｌｕ−ｒａｙ  Ｄｉｓｃ（ＢＤ）が開発されており、ここでの図示を省略するものの、このＢｌｕ−ｒａｙ  Ｄｉｓｃは、波長４００ｎｍ近辺のレーザー光を開口数（ＮＡ）が０．７５以上の対物レンズで絞って得たレーザービームを照射して、光ディスク基板のビーム入射面から略０．１ｍｍ隔てた位置にあるＢＤ信号面上に情報信号を記録又は再生できるようになっている。
【０１１０】
従って、上記した変形例の光ディスクの種類判別方法を適用して、例えば、第１記録フォーマット（ＤＶＤフォーマット）に準拠した第１信号面（ＤＶＤ信号面）を有する第１光ディスク（ＤＶＤ）と、第２記録フォーマット（ＢＤフォーマット）に準拠した第２信号面（ＢＤ信号面）を有する第２光ディスク（ＢＤ）とを選択的に装着可能に構成した場合に、波長６５０ｎｍ近辺の第１レーザービームを種類が不明な光ディスクの信号面に照射したときに得られる第１フオーカスバランス信号値と、波長４００ｎｍ近辺の第２レーザービームを種類が不明な光ディスクの信号面に照射したときに得られる第２フオーカスバランス信号値とを合算して、この合計値が所定の閾値以上であるか否かにより２種類の第１，第２光ディスクを正確に判別することも可能である。
【図面の簡単な説明】
【０１１１】
【図１】複数種の光ディスクの種類を説明するために模式的に示した図であり、（ａ）はＣＤを示し、（ｂ）は信号面が１層タイプのＤＶＤ−ＳＬを示し、（ｃ）は信号面が２層タイプのＤＶＤ−ＤＬを示し、（ｄ）は両面型のＤｕａｌ  Ｄｉｓｃを示した図である。
【図２】本発明に係る光ディスク装置の全体構成を示した構成図である。
【図３】光ピックアップ内に設けた多分割型フォトディテクタを拡大して示した図である。
【図４】本発明の要部となるフォーカスエラー信号振幅値とフォーカスバランス信号値とを求めるためにフォーカスエラー信号を模式的に示した図である。
【図５】本発明に係る実施例の光ディスクの種類判別方法を説明するためのフロー図である。
【図６】シミュレーションによりＣＤ用の第１レーザービームと、ＤＶＤ用の第２レーザービームとをＣＤのＣＤ信号面、Ｄｕａｌ  ＤｉｓｃのＣＤ信号面、１層タイプのＤＶＤの信号面にそれぞれ照射した時に、各戻り光を多分割型フォトディテク上に結像させた状態を摸式的に示した図である。
【図７】ＣＤ用の第１レーザービームを光ディスクの信号面に照射して得た時のＣＤ-ＦＢＡＬ信号値と、ＤＶＤ用の第２レーザービームを光ディスクの信号面に照射して得た時のＤＶＤ-ＦＢＡＬ信号値とを光ディスクの種類に対応して示した図である。
【図８】（ＣＤ-ＦＢＡＬ信号値）＋（ＤＶＤ-ＦＢＡＬ信号値）を光ディスクの種類に対応して示した図である。
【図９】本発明に係る実施例の光ディスクの種類判別方法を一部変形させた変形例を説明するためのフロー図である。
【符号の説明】
【０１１２】
１０…ＣＤ、１１…光ディスク基板、１１ａ…ビーム入射面、１２…ＣＤ信号面、
１３…保護膜、
２０…１層タイプのＤＶＤ−ＳＬ、２１…光ディスク基板、２１ａ…ビーム入射面、
２２…ＤＶＤ信号面、２３…接着剤層、２４…補強用基板、
３０…２層タイプのＤＶＤ−ＤＬ、３１…第１光ディスク基板、３１ａ…ビーム入射面、
３２…第１ＤＶＤ信号面、３３…接着剤層、３４…第２ＤＶＤ信号面、
３５…第２光ディスク基板、
４０…Ｄｕａｌ  Ｄｉｓｃ、４１…第１光ディスク基板、４１ａ…一方のビーム入射面、
４２…ＣＤ信号面、３３…接着剤層、４４…ＤＶＤ信号面、
４５…第２光ディスク基板、４５ａ…他方のビーム入射面、
６０…光ディスク装置、６１…、制御部、６１ａ…ＲＯＭ、６１ｂ…ＲＡＭ、
６１ｃ…光ディスク種類判別部、
６２…スンピンドルモータ、６２ａ…軸、６３…ターンテーブル、
６４…ディスククランパ、６５…第１モータ駆動回路、６６…第２モータ駆動回路、
６７…スレッドモータ、６８…リードスクリュー、
７０…光ピックアップ、７１…光ピックアップ筐体、７１ａ…螺合部、
７２ａ…第１レーザー光源、７２ｂ…第２レーザー光源、７３…コリメータレンズ、
７４…回折素子、７５…ビームスプリッタ、７６…λ／４板、７７…レンズホルダ、
７８…対物レンズ、７９…トラッキングコイル、８０…フォーカスコイル、
８１…検出レンズ、８２…シリンドリカルレンズ、８３…多分割型フォトディテクタ、
８４…レーザー駆動回路、８５…スイッチ、
８６…トラッキングエラー信号検出回路、８７…第１Ａ／Ｄ変換器、
８８…第１Ｄ／Ａ変換器、８９…トラッキング制御駆動信号駆動回路、
９０…フォーカスエラー信号検出回路、９１…第２Ａ／Ｄ変換器、
９２…第２Ｄ／Ａ変換器、９３…フォーカス制御駆動信号駆動回路、
９４…フォーカスエラー信号振幅値検出回路、
９５…フォーカスバランス信号値検出回路、
９６…ＲＦ信号処理回路、
Ｄ…光ディスク、Ｌ１…第１レーザービーム、Ｌ２…第２レーザービーム、
ＴＥ…トラッキングエラー信号、ＦＥ…フォーカスエラー信号、
ＦＥＳ…フォーカスエラー信号振幅値、
ＦＥＰ…フォーカスエラー信号のプラス側レベル、
ＦＥＭ…フォーカスエラー信号のマイナス側レベル、
ＦＢＡＬ（％）…フォーカスバランス信号値。
【図１】
0004826820.tif 000003
【図２】
0004826820.tif 000004
【図３】
0004826820.tif 000005
【図４】
0004826820.tif 000006
【図５】
0004826820.tif 000007
【図６】
0004826820.tif 000008
【図７】
0004826820.tif 000009
【図８】
0004826820.tif 000010
【図９】
0004826820.tif 000011